(57)【要約】      （修正有）【課題】夏冬を通じて使用することができる重ね敷布団を提供する。【解決手段】相互に重ね合わせて使用する第１敷布団２及び第２敷布団４から構成され、第１敷布団２の少なくとも片面は、ひんやり感を感じる冷感素材（ハニカム素材１２）から形成され、第２敷布団４の少なくとも片面は、暖か感を感じる温感素材（起毛素材２６）から形成されている。第２敷布団４の上面に、片面を上にして第１敷布団２を重ねることによって、夏用敷布団として好都合に使用することができる。また、第１敷布団２の上面に、片面を上にして第２敷布団４を重ねることによって、冬用敷布団として好都合に使用することができる。更に、第１敷布団２（第２敷布団４）の他面は、中温感素材２０（２２）から形成するのが好ましく、例えば、第２敷布団４の上面に、他面を上にして第１敷布団２を重ねることによって、春秋用敷布団として好都合に使用することができる。【選択図】図４
0003176864.tif 000002
【実用新案登録請求の範囲】
【請求項１】
相互に重ね合わせて使用する第１敷布団及び第２敷布団から構成され、前記第１敷布団の少なくとも片面は、ひんやり感を感じる冷感素材から形成され、前記第２敷布団の少なくとも片面は、暖か感を感じる温感素材から形成されていることを特徴とする重ね敷布団。
【請求項２】
前記第１敷布団の他面は、冷感と温感との間の中温感を感じる中温感素材又は前記冷感素材から形成されていることを特徴とする請求項１に記載の重ね敷布団。
【請求項３】
前記第１敷布団の前記冷感素材は、メッシュ素材、ハニカム素材、ニット素材又は麻素材であることを特徴とする請求項１又は２に記載の重ね敷布団。
【請求項４】
前記第２敷布団の他面は、冷感と温感との間の中温感を感じる中温感素材又は前記温感素材から形成されていることを特徴とする請求項１に記載の重ね敷布団。
【請求項５】
前記第２敷布団の前記温感素材は、起毛素材であることを特徴とする請求項１又は４に記載の重ね敷布団。
【請求項６】
前記第１敷布団と前記第２敷布団との間に保温パッド又は保温シートが介在されていることを特徴とする請求項１〜５のいずれかに記載の重ね敷布団。
【請求項７】
前記第１敷布団と前記第２敷布団との間に除湿パッド又は除湿シートが介在されていることを特徴とする請求項１〜５のいずれかに記載の重ね敷布団。
【考案の詳細な説明】
【技術分野】
【０００１】
本考案は、夏冬を通じて快適に使用することができる重ね敷布団に関する。
【背景技術】
【０００２】
敷布団として、二枚の薄めの敷き布団を使用する重ね敷布団が実用に供されている（例えば、非特許文献１参照）。この重ね敷布団は、一枚一枚が薄めにつくられているので、折曲げなどが容易で取り扱いやすく、また丸めて洗濯機に入れて丸洗いすることができ、いつも清潔に保つことができる。
【先行技術文献】
【非特許文献】
【０００３】
【非特許文献１】株式会社ニシザキのウェブページにおける項目「製品実績」の「二枚タイプ  敷き布団セット」（ｗｗｗ．ｅ−ｓｌｅｅｐ．ｃｏ．ｊｐ／ａｃｈｉｅｖｅ）
【考案の概要】
【考案が解決しようとする課題】
【０００４】
しかしながら、従来の重ね敷布団では、二枚の敷布団が同じ種類のものから構成され、各敷布団の両面（表面及び裏面）がポリエステルと綿の混合繊維（例えば、ポリエステル８０％、綿２０％）などから形成されている。それ故に、春秋の時期には快適に使用することができるが、夏の時期では幾分暑く感じ、また冬の時期では幾分冷たく感じ、夏冬の時期の使用においては、充分に快適とはいえない。特に、ベビー用に使用する場合、赤ちゃんが敷布団の上で寝ることが多く、夏冬を通して快適に使用することができる重ね敷布団の実現が望まれていた。
【０００５】
本考案の目的は、夏冬を通して快適に使用することができる重ね敷布団を提供することである。
【課題を解決するための手段】
【０００６】
本考案の請求項１に記載の重ね敷布団は、相互に重ね合わせて使用する第１敷布団及び第２敷布団から構成され、前記第１敷布団の少なくとも片面は、ひんやり感を感じる冷感素材から形成され、前記第２敷布団の少なくとも片面は、暖か感を感じる温感素材から形成されていることを特徴とする。
【０００７】
また、本考案の請求項２に記載の重ね敷布団では、前記第１敷布団の他面は、冷感と温感との間の中温感を感じる中温感素材又は前記冷感素材から形成されていることを特徴とする請求項１に記載の重ね敷布団。
【０００８】
また、本考案の請求項３に記載の重ね敷布団では、前記第１敷布団の前記冷感素材は、メッシュ素材、ハニカム素材、ニット素材又は麻素材であることを特徴とする。
【０００９】
また、本考案の請求項４に記載の重ね敷布団では、前記第２敷布団の他面は、冷感と温感との間の中温感を感じる中温感素材又は前記温感素材から形成されていることを特徴とする。
【００１０】
また、本考案の請求項５に記載の重ね敷布団では、前記第２敷布団の前記温感素材は、起毛素材であることを特徴とする。
【００１１】
また、本考案の請求項６に記載の重ね敷布団では、前記第１敷布団と前記第２敷布団との間に保温パッド又は保温シートが介在されていることを特徴とする。
【００１２】
また、本考案の請求項７に記載の重ね敷布団では、前記第１敷布団と前記第２敷布団との間に除湿パッド又は除湿シートが介在されていることを特徴とする。
【考案の効果】
【００１３】
本考案の請求項１に記載の重ね敷布団によれば、第１敷布団の少なくとも片面は冷感素材から形成されているので、第２敷布団の上に重ねて、この片面が上となるように第１敷布団を敷くと、冷感素材が就寝者（例えば、赤ちゃん）の肌に接触するようになり、従って、使用に際してひんやり感が得られ、夏の時期において快適に使用することができる。また、第２敷布団の少なくとも片面は温感素材から形成されているので、第１敷布団の上に重ねて、この片面が上となるように第２敷布団を敷くと、温感素材が就寝者の肌に接触するようになり、従って、使用に際して暖か感が得られ、冬の時期において快適に使用することができる。かくして、この敷布団を用いることにより、夏冬を通して快適に就寝することができる。
【００１４】
また、本考案の請求項２に記載の重ね敷布団によれば、第１敷布団の他面が中温感素材から形成されているので、第２敷布団の上に重ねて、この他面が上となるように第１敷布団を敷くと、この他面が肌に接触するようになり、従って、使用に際して中温感が得られ、春秋の時期において快適に使用することができ、四季を通して快適に就寝することができる。第１敷布団の他面を片面と同様の冷感素材から形成した場合、その両面を夏用として使用することができる。
【００１５】
また、本考案の請求項３に記載の重ね敷布団によれば、第１敷布団の冷感素材がメッシュ素材、ハニカム素材、ニット素材又は麻素材であるので、使用に際してひんやり感が得られ、この片面を上にして使用することによって、夏の時期において快適に就寝することができる。
【００１６】
また、本考案の請求項４に記載の重ね敷布団によれば、第２敷布団の他面が中温感素材から形成されているので、第１敷布団の上に重ねて、この他面が上となるように第２敷布団を敷くと、この他面が肌に接触するようになり、従って、使用に際して中温感が得られ、四季を通して快適に就寝することができる。第２敷布団の他面を片面と同様の温感素材から形成した場合、その両面を冬用として使用することができる。
【００１７】
また、本考案の請求項５に記載の重ね敷布団によれば、第２敷布団の温感素材が起毛素材であるので、使用に際して暖か感が得られ、この片面を上にして使用することによって、冬の時期において快適に就寝することができる。
【００１８】
また、本考案の請求項６に記載の重ね敷布団によれば、第１敷布団と第２敷布団との間に保温パッド又は保温シートが介在されているので、体温による保温効果が得られて体が温められ、冬の時期において更に快適に就寝することができる。
【００１９】
更に、本考案の請求項７に記載の重ね敷布団では、第１敷布団と第２敷布団との間に除湿パッド又は除湿シートが介在されているので、第１及び第２敷布団の湿気（例えば、空気中の水分、汗による水分などによる湿気）が吸湿され、梅雨の時期などにおいても湿気を抑えて快適に就寝することができる。
【図面の簡単な説明】
【００２０】
【図１】本考案に従う重ね敷布団の第１の実施形態を示す斜視図。
【図２】図１の重ね敷布団における第１敷布団を示す部分拡大断面図。
【図３】図１の重ね敷布団における第２敷布団を示す部分拡大断面図。
【図４】図１の重ね敷布団の一使用例を示す断面図。
【図５】図１の重ね敷布団の他の使用例を示す断面図。
【図６】図１の重ね敷布団の更に他の使用例を示す断面図。
【図７】本考案に従う重ね敷布団の第２の実施形態を示す斜視図。
【考案を実施するための形態】
【００２１】
以下、添付図面を参照して、本考案に従う重ね敷布団の実施形態について説明する。まず、図１〜図６を参照して、第１の実施形態の重ね敷布団について説明する。図１〜図３において、図示の重ね敷布団は、相互に重ねて使用する二枚の敷布団、即ち第１敷布団２及び第２敷布団４から構成されている。第１敷布団２は、片面側の生地６及び裏面側の生地８の周囲を縫製して袋状に形成され、縫製した縫い目を図１において破線１０で示す。この第１敷布団２は、後述するように夏用として好適に使用することができる。
【００２２】
第１敷布団２においては、その片面側（図１及び図２において上面側）の生地６がひんやり感を感じる冷感素材から形成され、この形態では冷感素材としてハニカム素材１２が用いられている。ハニカム素材１２とは、ハニカム状の小さな孔１４が多数設けられている生地素材であり、生地６の全周部を除く大部分に孔１４が設けられ、これら孔１４を通して空気が通り、通気性が良くて肌との接触が少なくてひんやり感が得られる。このようなハニカム素材１２は、例えばポリエステルなどから形成される。尚、この形態では、冷感素材としてハニカム素材１２を用いているが、その他の冷感素材、例えば、メッシュ素材（メッシュ状の小さい孔が設けられたもの）、麻素材（麻繊維から形成された素材）、ニット素材（ニットから形成された素材）などを用いるようにしてもよい。
【００２３】
また、その他面側（図１及び図２において下面側）の生地８が冷感と暖かさを感じる温感との間の中感を感じる中温感素材から形成され、この形態では中温感素材として、例えばポリエステルと綿とが混合された布素材１６（例えば、ポリエステル６５％、綿３５％）から形成される。このような中温感素材は、肌に接触してもひんやり感、暖か感がなく、中温感が得られる。
【００２４】
この第１敷布団２においては、片面側の生地６と他面側の生地８とが縫い合わされて袋状部材に形成され、かかる袋状部材の中に綿部材１８が収容されている。この綿部材１８は、縦成型（図２において上下方向の成型）され、このように縦成型することによって、使用、洗濯などによる綿部材１８のへたりを抑えることができる。この綿部材１８は、例えばポリエステルなどから形成される。
【００２５】
第２敷布団４は、片面側の生地２０及び裏面側の生地２２の周囲を縫製して袋状に形成され、縫製した縫い目を図１において破線２４で示す。この第２敷布団４は、後述するように冬用として好適に使用することができる。
【００２６】
第２敷布団４においては、その片面側（図１及び図２において上面側）の生地２０が暖か感を感じる温感素材から形成され、この形態では温感素材として起毛素材２６が用いられている。起毛素材２６とは、表面に小さな起毛２８が多数設けられている生地素材であり、生地２０の全域に起毛２８が設けられており、かかる起毛が肌に優しく触れて暖か感が得られる。このような起毛素材は、例えばフリース生地などと称され、例えばポリエステルなどから形成される。
【００２７】
また、その他面側（図１及び図２において下面側）の生地２２が、第１敷布団２と同様に、中温感素材から形成され、この形態では中温感素材としてポリエステルと綿とが混合された布素材３０（例えば、ポリエステル６５％、綿３５％）から形成される。
【００２８】
この第２敷布団４においても、片面側の生地２０と他面側の生地２２とが縫い合わされて袋状部材に形成され、かかる袋状部材の中に、第１敷布団２に用いられたのと同様の綿部材３２が収容されている。
【００２９】
第１敷布団２（及び第２敷布団４）においては、図１に示すように、中に入れた綿部材１８（及び３２）が偏らないように、片面側の生地６（及び２０）、綿部材１８（及び３２）及び他面側の生地８（２２）を通してこれらを縫い合わせてキルティングが施されている。このキルティングの縫い目は、図１に番号３８で示す。
【００３０】
この重ね敷布団は、季節に応じて快適感が得られるように、図４〜図６に示すように使用することができる。夏の時期に使用する場合、例えば、図４に示すように使用するのが望ましい。即ち、畳３４などの上に第２敷布団４を敷き、その上に第１敷布団２を敷くようにする。第２敷布団４については、図４に示すように、その他面側の生地２２（中温感素材）を下面側となるようにしてもよく、これに代えて、その片面側の生地２０（温感素材）を下面側となるようにしてもよい。一方、第１敷布団２については、その片面側の生地６（冷感素材）が上面側となるように第２敷布団４の上に敷く。このように重ねて敷いた状態においては、第１敷布団２の片面側の生地６（冷感素材）が就寝者の肌に接触するようになり、夏の暑い時期においても冷感素材のひんやり感が肌に伝わり、このひんやり感によって夏の時期でも快適に就寝することができる。
【００３１】
尚、二枚に重ねた第１及び第２敷布団２，４のズレを防止するために、図４に一点鎖線で示すように、袋状シーツ３６内に収容するようにして使用することもでき、この袋状シーツ３６に代えて、面ファスナー、ベルト、紐などを用いてこのズレを防止するようにしてもよい。
【００３２】
また、冬の時期に使用する場合、例えば、図５に示すように使用するのが望ましい。即ち、畳３４などの上に第１敷布団２を敷き、その上に第２敷布団４を敷くようにする。第１敷布団２については、図５に示すように、その他面側の生地８（中温感素材）を下面側となるようにしてもよく、これに代えて、その片面側の生地６（冷感素材）を下面側となるようにしてもよい。一方、第２敷布団４については、その片面側の生地２０（温感素材）が上面側となるように第１敷布団２の上に敷く。このように重ねて敷いた状態においては、第２敷布団４の片面側の生地２０（温感素材）が就寝者の肌に接触するようになり、冬の寒い時期においても温感素材の暖か感が肌に伝わり、この暖か感によって冬の時期でも快適に就寝することができる。
【００３３】
更に、春（又は秋）の時期に使用する場合、例えば、図６に示すように使用するのが望ましい。即ち、畳３４などの上に第２敷布団４を敷き、その上に第１敷布団２を敷くようにする。第２敷布団４については下側となるので、その片面側の生地２０（温感素材）を下面側となるようにしてもよく、或いはその他面側の生地２２（中温感素材）を下面側となるようにしてもよい。一方、第１敷布団２については、その他面側の生地８（中温感素材）が上面側となるように第２敷布団４の上に敷く。このように重ねて敷いた状態においては、第１敷布団２の他面側の生地８（中温感素材）が就寝者の肌に接触するようになり、春（又は秋）の時期においてひんやり感や暖か感が肌に伝わらず、春（又は秋）の時期に快適に就寝することができる。
【００３４】
図６においては、第２敷布団４の上に第１敷布団２を敷いているが、これとは反対に、第１敷布団２の上に第２敷布団４を敷くようにしてもよい。この場合、第１敷布団２については下側となるので、その片面側の生地６（冷感素材）を下面側となるようにしてもよく、或いはその他面側の生地８（中温感素材）を下面側となるようにしてもよい。一方、第２敷布団４については、その他面側の生地２２（中温感素材）が上面側となるように第１敷布団２の上に敷く。このように重ねて敷いた状態においては、上述したと同様に、第２敷布団４の他面側の生地２２（中温感素材）が就寝者の肌に接触するようになり、春（又は秋）の時期に適した敷き方となる。
【００３５】
上述した第１の実施形態では、第１敷布団２の片面側の生地６のみを冷感素材から形成しているが、その他面側の生地８も冷感素材から形成するようにしてもよく、この場合、第１敷布団２の両面の生地が冷感素材となるために、夏用としての専用敷布団となり、このような夏用の第１敷布団２と組み合わされる第２敷布団４は、図１〜図６に示す形態の敷布団（片面側が温感素材で形成され、他面側が中温感素材で形成されたもの）であるのが望ましい。
【００３６】
また、上述した第２の実施形態では、第２敷布団４の片面側の生地２０のみを温感素材から形成しているが、その他面側の生地２２も温感素材から形成するようにしてもよく、この場合、第２敷布団４の両面の生地が温感素材となるために、冬用としての専用敷布団となり、このような冬用の第２敷布団４と組み合わされる第１敷布団２は、図１〜図６に示す形態の敷布団（片面側が冷感素材で形成され、他面側が中温感素材で形成されたもの）であるのが望ましい。
【００３７】
次に、図７を参照して、第２の実施形態の重ね敷布団について説明する。この第２の実施形態においては、第１敷布団と第２敷布団との間に機能性パッド又は機能性シートが介在されている。尚、この第２の実施形態において、上述した第１の実施形態と実質上同一の部材には同一の参照番号を付し、その説明を省略する。
【００３８】
図７において、この第２の実施形態の重ね敷布団においては、第１敷布団２と第２敷布団４との間に機能性パッド５２が配設される。図７においては、第２敷布団４の上に第１敷布団２を重ねているが、第１及び第２敷布団２，４の使用方法については、第１の実施形態で説明した通りであり、これらいずれの使用方法において、第１敷布団２と第２敷布団４との間に機能性パッド５２を間に介在させて使用することができる。
【００３９】
機能性パッド５２としては、例えば、保温機能を有する保温パッド、除湿機能を有する除湿パッドなどを用いることができる。保温パッドとしては、多数の独立した気泡が設けられた独立気泡構造のものなどを用いることができ、このような保温パッドを介在させた場合、就寝者の体温が保温パッドにより保たれ、この保温効果により体が暖められ、冬の時期において快適性を更に高めることができる。また、除湿パッドとしては、中に除湿材を含むものなどを用いることができ、このような除湿パッドを介在させた場合、第１及び第２敷布団２，４の湿気が除湿パッドにより吸湿され、梅雨の時期などにおいて湿気を抑えて快適に就寝することができ、また乳幼児など汗のかきやすい使用者にとっても快適に就寝することができる。
【００４０】
尚、第２の実施形態においては、機能性パッド５２を介在させているが、この機能性パッド５２よりも厚さの薄い機能性シート（保温シート、除湿シート）を介在させるようにしてもよい。
【００４１】
以上、本考案に従う重ね敷布団の各種実施形態について説明したが、本考案はかかる実施形態に限定されるものではなく、本考案の範囲を逸脱することなく種々の変形乃至修正が可能である。
【００４２】
例えば、第１敷布団２の冷感素材、第２敷布団４の温感素材並びに第１及び第２敷布団２，４の中温感素材については、代表的なものを挙げて説明したが、これら説明したものに限定されず、その他の冷感素材、温感素材及び中温感素材を用いることができる。
【符号の説明】
【００４３】
２  第１敷布団
４  第２敷布団
６  第１敷布団の片面側の生地
８  第２敷布団の他面側の生地
１２  ハニカム素材
１６，３２  中温感素材
１８，３２  綿部材
２０  第２敷布団の片面側の生地
２２  第２敷布団の他面側の生地
２６  起毛素材
５２  機能性パッド
【図１】
0003176864.tif 000003
【図２】
0003176864.tif 000004
【図３】
0003176864.tif 000005
【図４】
0003176864.tif 000006
【図５】
0003176864.tif 000007
【図６】
0003176864.tif 000008
【図７】
0003176864.tif 000009